(57)【要約】【課題】トイレに設けられた止水栓と腰掛式便器の後側上部に設置された給水タンクや便器本体前側に引き出し可能な局所洗浄便座を接続する給水ホースを隠蔽して見栄えを良くする局所洗浄便座への給水ホースの隠蔽構造を提供する。【解決手段】便器本体１２、便器本体後側上部に設置された給水タンク１３、便器本体の前側に引き出し可能な局所洗浄便座１４、止水栓４から給水タンクと局所洗浄便座に給水する分岐金具２５、止水栓と分岐金具、分岐金具と給水タンク、局所洗浄便座を接続する給水ホース３１，３２，３３を備え、分岐金具は便器本体後側形成された凹部１２ｃに配設され、給水ホース３３は分岐金具の接続口２５ｃに接続され局所洗浄便座の使用位置から引き出し位置までの長さ分が便器本体後部と後壁面との間に収容され局所洗浄便座の引き出し方向に沿って延出し局所洗浄便座に接続される構成としている。【選択図】図４
2008240437.tif 000002
【特許請求の範囲】
【請求項１】
トイレの床面に設置された便器本体と、
前記便器本体の後側上部に設置された給水タンクと、
前記便器本体上に前側に引き出し可能に配設された局所洗浄便座と、
前記トイレに設けられた止水栓から前記給水タンク及び局所洗浄便座に分岐して給水する分岐金具と、
前記止水栓から前記分岐金具まで給水する第１の給水ホースと、
前記分岐金具から前記給水タンクに給水する第２の給水ホースと、
前記分岐金具から前記局所洗浄便座に給水する第３の給水ホースを備えた局所洗浄便座への給水ホースの隠蔽構造であって、
前記便器本体は後側に凹部が設けられ、
前記分岐金具は前記便器本体の凹部に配設され、
前記第３の給水ホースは前記分岐金具の接続口に接続され、かつ前記局所洗浄便座の使用位置から引き出し位置までの長さ分が前記便器本体後部とトイレの後壁面との間の空間部に収容され前記局所洗浄便座の引き出し方向に沿って延出して前記局所洗浄便座に接続されることを特徴とする局所洗浄便座への給水ホースの隠蔽構造。
【請求項２】
前記第３の給水ホースは前記分岐金具の下方に向けて設けられた接続口に接続されて下方に延出していることを特徴とする、請求項１に記載の局所洗浄便座への給水ホースの隠蔽構造。
【請求項３】
トイレの床面に設置された便器本体と、
前記便器本体の後側上部に設置された給水タンクと、
前記便器本体上に前側に引き出し可能に配設された局所洗浄便座と、
前記トイレに設けられた止水栓から前記給水タンク及び局所洗浄便座に分岐して給水する分岐金具と、
前記止水栓から前記分岐金具まで給水する第１の給水ホースと、
前記分岐金具から前記給水タンクに給水する第２の給水ホースと、
前記分岐金具から前記局所洗浄便座に給水する第３の給水ホースを備えた局所洗浄便座への給水ホースの隠蔽構造であって、
前記便器本体は後側に凹部が設けられ、
前記分岐金具は前記便器本体の凹部に配設され、
前記第３の給水ホースは前記分岐金具の接続口に接続され、かつ前記局所洗浄便座の使用位置から引き出し位置までの長さ分が前記給水タンクとトイレの後壁面との間の空間部に収容され前記局所洗浄便座の引き出し方向に沿って延出して前記局所洗浄便座に接続されることを特徴とする局所洗浄便座への給水ホースの隠蔽構造。
【請求項４】
前記第３の給水ホースは前記分岐金具の上方に向けて設けられた接続口に接続されて上方に延出していることを特徴とする、請求項３に記載の局所洗浄便座への給水ホースの隠蔽構造。
【請求項５】
前記便器本体の後側の凹部はカバーで覆われ、前記第３の給水ホースは前記局所洗浄便座の使用位置において当該使用位置から引き出し位置までの長さ分が当該カバーで隠蔽されると共に、前記カバーの側部に形成されたスリットから前記第３の給水ホースの前記局所洗浄便座側が延出されるようになっていることを特徴とする、請求項１又は請求項２に記載の局所洗浄便座への給水ホースの隠蔽構造。
【請求項６】
前記第３の給水ホースを、エルボを介して前記局所洗浄便座の下方に延在する給水金具へ取り付けることを特徴とする、請求項１乃至請求項５の何れかに記載の局所洗浄便座への給水ホースの隠蔽構造。
【発明の詳細な説明】
【技術分野】
【０００１】
本発明は、トイレに設けられた止水栓から腰掛式便器本体の後側上部に設置された給水タンクや便器本体上に便器の前側に引き出し可能に配設された局所洗浄便座に接続される給水ホースやその他電源コード等を収容隠蔽して見栄えの向上を図るようにした局所洗浄便座への給水ホースの隠蔽構造に関する。
【背景技術】
【０００２】
腰掛式便器の便器本体に局所洗浄便座を搭載したタイプの腰掛式便器が広く普及されている。従来、このような腰掛式便器として便器本体下部に台座部を有すると共にその台座部内側に空間を有する便器本体と、便器本体上に配設された温水洗浄便座と、床下より立ち上げて前記便器本体の空間内に配管された給水管とを有し、便器本体を設置して覆われる床面領域に排水管用穴と給水管用穴を形成すると共に、排水管を排水管用穴に貫通させて腰掛式便器の排水管接続部に接続し、かつ給水管を給水管用穴に貫通させて便器本体に直接立ち上げた構造のものが提案されている（例えば、特許文献１参照）。
【特許文献１】特開２００３−１３４８３号公報（図１、３頁―４頁）
【発明の開示】
【発明が解決しようとする課題】
【０００３】
しかしながら、従来の腰掛式便器は、便器本体上に局所洗浄便座を載置して固定する構造であるために局所洗浄便座を簡単に取り外すことができない。このため、便器本体の上面と局所洗浄便座との間に小水等が入り込んだような場合に清掃性が損なわれて拭き取ることができず、異臭の元になる。
【０００４】
そこで、局所洗浄便座を便器本体から便器本体の前側（手前方）に引き出し可能として便器本体の上面や局所洗浄便座の下面等を清掃可能とした構造の腰掛式便器が考えられている。
【０００５】
しかしながら、既存の住宅においてトイレのリホームを行う場合、止水栓が床面から突出して配管されている場合や壁面から突出して配管されている場合等様々であり、止水栓がどのような場所に配置されているか定まっていない。このため、上述したような局所洗浄便座を便器本体から便器の前側に引き出して便器本体の上面を清掃可能な構造の腰掛式便器を設置する場合、止水栓に接続した分岐金具から便器本体の後側上部に設置されている給水タンク（ロータンク）までの給水ホースや、分岐金具に接続され便器本体側から局所洗浄便座まで延出する給水ホースや電源コード等が見えてしまい見栄えが悪い。また、局所洗浄便座の使用位置において、この使用位置から引き出し位置までの長さ分だけ給水ホースや電源コードが便器本体の側面に垂れ下がることとなり、更に見栄えが悪くなる。
【０００６】
また、トイレの様々な場所にある止水栓（給水位置）に対応するために給水タンク（ロータンク）や局所洗浄便座までの給水ホースに長い給水ホースが必要となる。このため、給水ホースのコストが高くなるばかりでなく、余った給水ホースが全て露出してしまうこととなり、しかも、余った給水ホースの処理（給水ホースの露出状態）方法は、施行業者により様々であるために見栄えが悪くなる大きな要因となる。
【０００７】
本発明の目的は、トイレに設けられた止水栓から腰掛式便器本体の後側上部に設置された給水タンクや便器本体上に便器本体の前側に引き出し可能に配設された局所洗浄便座に接続される給水ホースを収容隠蔽して見栄えの向上を図るようにした局所洗浄便座への給水ホース及び給水タンク（ロータンク）までの給水ホース及び分岐金具の隠蔽構造を提供することにある。
【課題を解決するための手段】
【０００８】
上述した課題を解決するために、本発明に係る局所洗浄便座への給水ホースの隠蔽構造は、
トイレの床面に設置された便器本体と、
前記便器本体の後側上部に設置された給水タンクと、
前記便器本体上に手前側に引き出し可能に配設された局所洗浄便座と、
前記トイレに設けられた止水栓から前記給水タンク及び局所洗浄便座に分岐して給水する分岐金具と、
前記止水栓から前記分岐金具まで給水する第１の給水ホースと、
前記分岐金具から前記給水タンクに給水する第２の給水ホースと、
前記分岐金具から前記局所洗浄便座に給水する第３の給水ホースを備えた局所洗浄便座への給水ホースの隠蔽構造であって、
前記便器本体は後側に凹部が設けられ、
前記分岐金具は前記便器本体の凹部に配設され、
前記第３の給水ホースは前記分岐金具の接続口に接続され、かつ前記局所洗浄便座の使用位置から引き出し位置までの長さ分が前記便器本体後部とトイレの後壁面との間の空間部に収容され前記局所洗浄便座の引き出し方向に沿って延出して前記局所洗浄便座に接続されることを特徴としている。
【０００９】
トイレに設けられた止水栓から給水タンク及び局所洗浄便座に分岐して給水する分岐金具を便器本体の後側に形成した凹部に設け、分岐金具から局所洗浄便座に給水する第３の給水ホースの一端を分岐金具の接続口に接続し、かつ局所洗浄便座の使用位置から引き出し位置までの長さ分を便器本体後部とトイレの後壁面との間の空間部に収容して局所洗浄便座の引き出し方向に沿って延出させ、他端を局所洗浄便座に接続する。
【００１０】
これにより、止水栓の位置に拘わらず分岐金具から給水タンク及び局所洗浄便座までの給水ホースの長さを一定にすることが可能となり、局所洗浄便座の使用位置において給水ホースを便器本体の後方に容易に収容することができ、見栄えの向上を図ることができると共に、清掃時には局所洗浄便座を便器の手前に容易に引き出すことが可能となり、清掃性の向上が図られる。
【００１１】
また、本発明の請求項２に記載の局所洗浄便座への給水ホースの隠蔽構造は、請求項１に記載の局所洗浄便座への給水ホースの隠蔽構造において、
前記第３の給水ホースは前記分岐金具の下方に向けて設けられた接続口に接続されて下方に延出していることを特徴としている。
【００１２】
分岐金具の下方に向けて設けた接続口に第３の給水ホースを下方に延出させて接続することにより、局所洗浄便座の使用位置において給水ホースを便器本体の後方に収容することができる。
【００１３】
また、本発明の請求項３に記載の局所洗浄便座への給水ホースの隠蔽構造は、
トイレの床面に設置された便器本体と、
前記便器本体の後側上部に設置された給水タンクと、
前記便器本体上に前側に引き出し可能に配設された局所洗浄便座と、
前記トイレに設けられた止水栓から前記給水タンク及び局所洗浄便座に分岐して給水する分岐金具と、
前記止水栓から前記分岐金具まで給水する第１の給水ホースと、
前記分岐金具から前記給水タンクに給水する第２の給水ホースと、
前記分岐金具から前記局所洗浄便座に給水する第３の給水ホースを備えた局所洗浄便座への給水ホースの隠蔽構造であって、
前記便器本体は後側に凹部が設けられ、
前記分岐金具は前記便器本体の凹部に配設され、
前記第３の給水ホースは前記分岐金具の接続口に接続され、かつ前記局所洗浄便座の使用位置から引き出し位置までの長さ分が前記給水タンクとトイレの後壁面との間の空間部に収容され前記局所洗浄便座の引き出し方向に沿って延出して前記局所洗浄便座に接続されることを特徴としている。
【００１４】
トイレに設けられた止水栓から給水タンク及び局所洗浄便座に分岐して給水する分岐金具を便器本体の後側に形成した凹部に設け、分岐金具から局所洗浄便座に給水する第３の給水ホースの一端を分岐金具の接続口に接続し、かつ局所洗浄便座の使用位置から引き出し位置までの長さ分を給水タンクとトイレの後壁面との間の空間部に収容して局所洗浄便座の引き出し方向に沿って延出させ、他端を局所洗浄便座に接続する。
【００１５】
これにより、止水栓の位置に拘わらず分岐金具から給水タンク及び局所洗浄便座までの給水ホースの長さを一定にすることが可能となり、局所洗浄便座の使用位置において給水ホースを給水タンクの後方に収容することができ、見栄えの向上を図ることができると共に、清掃時には局所洗浄便座を便器の手前に容易に引き出すことが可能となり、清掃性の向上が図られる。
【００１６】
また、本発明の請求項４に記載の局所洗浄便座への給水ホースの隠蔽構造は、請求項３に記載の局所洗浄便座への給水ホースの隠蔽構造において、
前記第３の給水ホースは前記分岐金具の上方に向けて設けられた接続口に接続されて上方に延出していることを特徴としている。
【００１７】
分岐金具の上方に向けて設けた接続口に第３の給水ホースを上方に延出させて接続することにより、局所洗浄便座の使用位置において給水ホースを給水タンクとトイレの後壁面との間の空間部に収容することができる。
【００１８】
また、本発明の請求項５に記載の局所洗浄便座への給水ホースの隠蔽構造は、請求項１又は請求項２に記載の局所洗浄便座への給水ホースの隠蔽構造において、
前記便器本体の後側の凹部はカバーで覆われ、前記第３の給水ホースは前記局所洗浄便座の使用位置において当該使用位置から引き出し位置までの長さ分が当該カバーで隠蔽されると共に、前記カバーの側部に形成されたスリットから前記第３の給水ホースの前記局所洗浄便座側が延出されるようになっていることを特徴としている。
【００１９】
便器本体後部の凹部をカバーで覆い、第３の給水ホースを局所洗浄便座の使用位置において当該使用位置から引き出し位置までの長さ分を隠蔽して見栄えの向上を図る。また、カバーの側部に形成したスリットから第３の給水ホースの局所洗浄便座側を延出させてガイドの機能を持たせ、局所洗浄便座を引き出すときにはスリットに沿って円滑に延出可能とし、引き出し位置から使用位置に戻すときにスリットに沿って円滑に便器本体後部の凹部に戻すことが可能となる。これにより、局所洗浄便座の引き出し操作や使用位置への戻し操作が容易となる。更に、給水ホースや便器本体後側に形成された凹部に埃や塵が付着することを少なくすることができ、見栄えの向上が図られる。
【００２０】
また、本発明の請求項６に記載の局所洗浄便座への給水ホースの隠蔽構造は、請求項１乃至請求項５の何れかに記載の局所洗浄便座への給水ホースの隠蔽構造において、
前記第３の給水ホースを、エルボを介して前記局所洗浄便座の下方に延在する給水金具へ取り付けることを特徴としている。
【００２１】
局所洗浄便座への給水ホースを局所洗浄便座の下方に延在する給水金具にエルボを介して取り付けることで、給水ホースを直ぐにカバーで隠蔽することができる。これにより、給水ホースの露出部分を減らすことができる。
【発明の効果】
【００２２】
本発明によると、トイレに設けられた止水栓の位置に拘わらず腰掛式便器本体に設けられた分岐金具から当該腰掛式便器本体の後側上部に設置された給水タンクや便器本体上に便器本体の前側に引き出し可能に配設された局所洗浄便座に接続される給水ホースの長さを一定にすることが可能となり、便器本体後部とトイレの後壁面との間の空間部又は給水タンクとトイレの後壁面との間の空間部に収容して側部カバーで隠蔽することができ、給水ホースの露出部分を減らすことができ、この結果、見栄えの向上を図ることができる。また、給水ホースへの塵埃の付着を少なくすることができる。また、給水ホースに電源コードを併設させてこの電源コードを収容するようにして見栄えの向上を図ると共に、電源コードへの塵埃の付着を少なくすることができる。
【００２３】
具体的にはトイレに設けられた止水栓から給水タンク及び局所洗浄便座に分岐して給水する分岐金具を便器本体の後側に形成した凹部に設け、分岐金具から局所洗浄便座に給水する給水ホースの一端を分岐金具の接続口に接続し、かつ局所洗浄便座の使用位置から引き出し位置までの長さ分を便器本体後部とトイレの後壁面との間の空間部に収容して局所洗浄便座の引き出し方向に沿って延出させ、他端を局所洗浄便座に接続する。
【００２４】
また、トイレに設けられた止水栓から給水タンク及び局所洗浄便座に分岐して給水する分岐金具を便器本体の後側に形成した凹部に設け、分岐金具から局所洗浄便座に給水する給水ホースの一端を分岐金具の接続口に接続し、かつ局所洗浄便座の使用位置から引き出し位置までの長さ分を給水タンクとトイレの後壁面との間の空間部に収容して局所洗浄便座の引き出し方向に沿って延出させ、他端を局所洗浄便座に接続する。
【００２５】
これにより、トイレに設けられた止水栓の位置に拘わらず便器本体に設けられた分岐金具から当該便器本体後側上部に設置された給水タンクや便器本体上に便器本体の前側に引き出し可能に配設された局所洗浄便座に接続される給水ホースの長さを一定にすることが可能となり、局所洗浄便座の使用位置において給水ホースを便器本体の後方や給水タンクの後方に収容して側部カバーで隠蔽することができ、給水ホースの露出部分を減らすことができ、見栄えの向上を図ることができる。また、清掃時には局所洗浄便座を便器の手前に容易に引き出すことが可能となり、清掃性の向上が図られる。
【００２６】
また、給水ホースの長さを一定にすることができることにより、コストの低減が図られると共に、分岐金具の便器本体への取付位置が決められることで自ずと給水ホースを着脱し易い取り回しが決まり、取り回し方法を指定することができ、この結果、どの業者が施行を行っても給水ホースを隠すことができると共に着脱性が確保される。
【００２７】
また、分岐金具の下方に向けて設けた接続口に第３の給水ホースを下方に延出させて接続することにより、局所洗浄便座の使用位置において給水ホースを便器本体の後方に収容することができる。
【００２８】
また、分岐金具の上方に向けて設けた接続口に第３の給水ホースを上方に延出させて接続することにより、局所洗浄便座の使用位置において給水ホースを給水タンクとトイレの後壁面との間の空間部に収容することができる。
【００２９】
また、便器本体後部の凹部をカバーで覆い、第３の給水ホースを局所洗浄便座の使用位置において当該使用位置から引き出し位置までの長さ分を隠蔽することで、見栄えの向上が図られる。また、カバーの側部に形成したスリットから第３の給水ホースの局所洗浄便座側を延出させてガイドの機能を持たせ、局所洗浄便座を引き出すときにはスリットに沿って円滑に延出可能とし、引き出し位置から使用位置に戻すときにスリットに沿って円滑に便器本体後部の凹部に戻すことが可能となり、局所洗浄便座の引き出し操作や使用位置への戻し操作が容易となる。更に、給水ホースや便器本体後側に形成された凹部に埃や塵が付着することを少なくすることができる。
【００３０】
また、第３の給水ホースを、エルボを介して前記局所洗浄便座の下方に延在する給水金具へ取り付けることで、給水ホースを直ぐにサイドカバーへ隠蔽でき、露出部分を減らすことができる。
【発明を実施するための最良の形態】
【００３１】
以下、本発明の一実施形態に係る局所洗浄便座への給水ホースの隠蔽構造について図面に基づいて説明する。図１は、既存の住宅のトイレに本発明に係る局所洗浄便座への給水ホースの隠蔽構造を適用した場合における腰掛式便器の斜視図を示し、トイレ１は、床面２の隅部に止水栓４が上方に突出して配設され、後壁面３の下方位置隅部に電源コンセント５が設けられている。腰掛式便器１１は、床面２の所定位置に設置されている。
【００３２】
腰掛式便器１１は、図１及び図２に示すように便器本体１２、この便器本体１２の後側上面に設置された給水タンク１３、便器本体１２上に設置された局所洗浄便座１４、及び便器本体１２の後部に取り付けられ止水栓４から給水タンク１３及び局所洗浄便座１４に給水する給水ホース３１、電源コンセント５と局所洗浄便座１４を接続する電源ケーブル４１を隠蔽するためのカバー１６等により構成されている。
【００３３】
局所洗浄便座１４は、本体部２１と図示しない便座及び便蓋２２とにより構成されており、これらの便座及び便蓋２２は、本体部２１に対してそれぞれ開閉自在に軸支されている。本体部２１には図示しない洗浄装置が設けられている。この洗浄装置は、使用者が着座したことを検知して使用者のスイッチ操作に応じて洗浄ノズルを本体部２１から便器本体１２内に伸長させて洗浄水（温水を含む）を使用者の臀部等の局部に噴射して洗浄し、洗浄後使用者のスイッチ操作により洗浄水の噴射を停止すると共に洗浄ノズルを本体部２１内に収容する。
【００３４】
この洗浄装置は、図２に示すように本体部２１の一側後部に便器本体１２の側方を下方に向けて取り付けられたＬ形継手２３に接続されると共に、電源ケーブル４１に接続されている。電源ケーブル４１は、Ｌ形継手２３の前側に側方に僅かに延出した後下方に向けて延出されている。
【００３５】
本体部２１は、便器本体１２の上面後側に図５に示すロック機構２４を介して載置されており、矢印で示す前後方向に移動可能とされている。そして、本体部２１即ち局所洗浄便座１４は、ロック機構２４により図１及び図２に示す使用位置にロック固定されると共に、図示しないロック解除釦を操作することでロックが解除されて図５に示すように便器本体１２の前側に適宜の位置まで引き出し可能とされている。これにより、便器本体１２の本体部２１が載置されている上面後部やその周辺部、及び本体部２１の下面等を清掃することが可能とされている。尚、本体部２１を便器本体１２の前側に引き出した後、便器本体１２から側方の床面２に置いて清掃することも可能である。
【００３６】
便器本体１２は、図３及び図４に示すように局所洗浄便座１４の本体部２１のＬ形継手２３及び電源ケーブル４１と対応する側の側部１２ａの電源ケーブル４１が延出された僅かに前側近傍位置から後部１２ｂの略中央位置に亘り、かつこれら側部１２ａ、後部１２ｂの略上半部に亘り凹部１２ｃが形成されている。また、凹部１２ｃの開口部の周縁部はカバー１６の板厚分だけ凹んで形成されている。これにより、便器本体１２にカバー１６を取り付けたときに側部カバー１６ａが便器本体側部１２ａと面一となり見栄えが向上する。
【００３７】
そして、凹部１２ｃに分岐金具２５が収容されている。分岐金具２５は、止水栓４から供給される水を分岐して給水タンク１３と局所洗浄便座１４に供給するためのもので、三方に互いに略直角をなして開口する三つの接続口、即ち上方に開口する接続口２５ａと、便器本体１２の前後方向を結ぶ中心線側に向いて側方に開口する接続口２５ｂと、下方に開口する接続口２５ｃが設けられている。この分岐金具２５は、凹部１２ｃに収容されてブラケット２６を介して凹部下面１２ｄの外側寄りの所定位置に配設固定されている。尚、この分岐金具２５は、例えば接続口２５ａ、接続口２５ｂが雄ねじ、２５ｃがワンタッチカプラとされている。
【００３８】
分岐金具２５は、上部が僅かに後方に斜め上方を向きかつ便器本体１２の上方から見て前後方向を結ぶ中心線寄りに傾いて固定されており、これに応じて接続口２５ａ，２５ｂ，２５ｃが僅かに傾いている。分岐金具をこのような状態に取り付けることで後述する給水ホース３１，３２，３３を滑らかに配策することが可能となる。
【００３９】
図３及び図４に示すように給水ホース３１は、一端が止水栓４に接続され、他端が袋ナットとされ床面２を這うようにして便器本体１２の後方に延出された後緩やかな円弧を描くようにして上方に彎曲し、給水タンク１３の底部下方近傍から分岐金具２５の上方に開口する接続口２５ａに接続されている。即ち、給水ホース３１は、便器本体１２の後部と後壁面３との間の空間部に配索されている。
【００４０】
給水ホース３２は、一端が分岐金具２５の側方に開口する接続口２５ｂに接続され、他端が緩やかな円弧を描くようにして便器本体１２の後部上方向けて延出した後、この便器本体１２の上面と給水タンク１３の底面との間の隙間を通して給水タンク１３の底部に設けられている図示しない接続口に接続されている。
【００４１】
給水ホース３３は、一端がワンタッチカプラとされ分岐金具２５の下方に開口する接続口２５ｃに接続され、他端が下方に延出しかつ緩やかな円弧を描くようにして接続口２５ｂの上方に至り、更に凹部１２ｃから局所洗浄便座１４の引き出し方向に沿って延出され、局所洗浄便座１４の一側の下方に延在する給水金具２３に接続されたエルボ（Ｌ形継手）２７に接続されている。この給水ホース３３は、局所洗浄便座１４が図３に示す使用位置から図５に示す引き出し位置までの長さを有しており、図３に示す使用位置に位置しているときにはこの使用位置から引き出し位置までの長さ分（以下「引き出し長さ分」という）だけ便器本体１２と後壁面３との間の空間部に収容されるようになっている。
【００４２】
これらの給水ホース３１，３２，３３は、樹脂やゴム等の防水層と金属製のメッシュの被覆層等を積層した構造を有しているために電源ケーブル４１に比べて柔軟性が低い。従って、上述したように便器本体１２の後部と後壁面３との間の空間部に上方又は下方に緩やかな円弧を描くようにして収容され、無理なく凹部１２ｃ内に配設されている分岐金具２５の各接続口２５ａ，２５ｂ，２５ｃに接続されている。また、電源ケーブル４１は、給水ホースに比べて柔軟性に富み、従って、給水ホース３３との結束部分から後方の引き出し長さ分が凹部１２ｃから自重で前記空間部を通して床面２まで垂下している。
【００４３】
そして、局所洗浄便座１４の本体部２１の側部からＬ形継手２３と並んで下方に向けて延出された電源ケーブル４１は、図２に示すようにＬ形継手２３の近傍において給水ホース３３に結束バンド３４で取り付けられている。これにより、電源ケーブル４１は、垂れ下がることなく給水ホース３３と共に局所洗浄便座１４の使用位置から引き出し位置まで引き出される。尚、この電源ケーブル４１は、給水ホースに比べて柔軟性を有しており、他端のプラグ４２は、便器本体１２の凹部１２ｃから下方に延出して図２に示すように後壁面３に設けられた電源コンセント５に接続される。
【００４４】
カバー１６は、便器本体１２の側部１２ａから後部１２ｂに亘り形成されている凹部１２ｃ、及び便器本体１２の後部と後壁面３との間の空間部を覆い、局所洗浄便座１４の使用位置において給水ホース３３及び電源ケーブル４１の引き出し長さ分を隠蔽して見栄えを良くすると共に、凹部１２ｃ、給水ホース３３及び電源ケーブル４１等に塵や埃が付着することを少なくする役目を果たしている。カバー１６は、便器本体１２の凹部１２ｃの側部１２ａに開口する開口部を覆う側部カバー１６ａと便器本体１２の後部１２ｂと後壁面３との間の空間部を覆う後部カバー１６ｂが一体に形成されている。
【００４５】
側部カバー１６ａは、便器本体１２の側部１２ａを沿うように形成されており、便器本体１２の側部１２ａに開口する凹部１２ｃを側部１２ａと面一をなして覆っている。これにより、便器本体１２の正面から見た際、便器本体１２の側部１２ａと側部カバー１６ａとの合わせ目１６ｄが見えなくなり、デザイン性の向上が図られている。後部カバー１６は、便器本体１２の後部１２ｂから後方に延出し便器本体１２の正面から見た際、便器本体１２の後部１２ｂと後部カバー１６ｂとの合わせ目１６ｅが見えなくなるように形成されており、デザイン性の向上が図られている。尚、カバー１６の側部カバー１６ａと後部カバー１６ｂを便器本体１２の滑らかに連続する側部１２ａと後部１２ｂに沿って滑らかに面一をなすように（同一平面上にあるように）形成するようにしても良い。
【００４６】
側部カバー１６ａの上部には給水ホース３３の引き出し方向に沿ってスリット１６ｃが形成されており、凹部１２ｃ側から外方に給水ホース３３、電源ケーブル４１が遊貫している。そして、スリット１６ｃは、給水ホース３３や電源ケーブル４１の取り出しに適した位置に形成されていることで、これらの給水ホース３３や電源ケーブル４１がガイドされて局所洗浄便座１４側が円滑に延出されるようになっている。即ち、給水ホース３３及び電源ケーブル４１は、局所洗浄便座１４の使用位置においてスリット１６ｃの前端から無理なく延出され、更にこの使用位置から引き出し位置まで無理なく延出されるようになっている。
【００４７】
便器本体１２の側部１２ａと反対側の側部には図４に示すようにカバー１７が取り付けられている。このカバー１７は、カバー１６の側部カバー１６ｂと同様に便器本体１２の後部１２ｂと後壁面３との間の空間部を覆うためのものである。これらのカバー１６，１７は、便器本体１２と同じ色の例えば樹脂部材で形成されており、面ファスナー（ベルクロテープ）等の接着手段により便器本体１２に着脱自在に取り付けられている。
【００４８】
トイレに設けられた止水栓４の位置に拘わらず便器本体１２の所定位置に設けられた分岐金具２５から給水タンク１３や局所洗浄便座１４に接続される給水ホース３２，３３の長さを一定にすることが可能となり、局所洗浄便座１４の使用位置において給水ホース３２，３３を便器本体１２の後方や給水タンク１３の後方に収容してカバー１６，１７で隠蔽することができ、給水ホースの露出部分を減らすことができる。
【００４９】
また、給水ホース３２，３３の長さを一定にすることができることにより、これらの給水ホース３２，３３の無駄や組み付ける際の手間が少なくなりコストの低減が図られる。更に、分岐金具２５の便器本体１２への取付位置が決められることで自ずと給水ホース３２，３３を着脱し易い取り回しが決まり、取り回し方法を指定することができ、この結果、どの業者が施行を行っても給水ホース３２．３３を良好に隠すことができると共に着脱性が確保される。
【００５０】
以下に作用を説明する。図１及び図２に示すように局部洗浄便座１４が使用位置にあるときには給水ホース３３及び電源ケーブル４１は、その引き出し長さ分が図４に示すように便器本体１２の凹部１２ｃ及び後部１２ｂと後壁面３との間の空間部に収容されてカバー１６により隠蔽されている。これにより、見栄えが良くなる。
【００５１】
使用者が便器本体１２の上面後部と局所洗浄便座１４の本体部２１との間を清掃する場合には、図５、図６に示すように局所洗浄便座１４を矢印で示す前側に引き出すと、これに伴い給水ホース３３、電源ケーブル４１がカバー１６のスリット１６ｃから円滑に引き出される。図６は図５に示す腰掛式便器１１を斜め後方から見た状態を示す。そして、使用者が清掃後局所洗浄便座１４を図２に示す使用位置に戻すと、これに伴い給水ホース３３、電源ケーブル４１がカバー１６のスリット１６ｃを通して押し戻され図４に示すように便器本体１２の凹部１２ｃ及び便器本体１２の後部１２ｂと後壁面３との間の空間部に収容される。
【００５２】
カバー１６は、スリット１６ｃの便器本体側の開口端部よりも便器本体後部側の開口端部を便器本体１２の上方から見て前後方向を結ぶ中心線寄りに偏移させてガイドの機能を持たせたことで、局所洗浄便座１４を引き出すときには給水ホース３３、電源ケーブル４１をスリット１６ｃに沿って円滑に延出可能となり、引き出し位置から使用位置に戻すときに給水ホース３３、電源ケーブル４１をスリット１６ｃに沿って円滑に便器本体１２の凹部１２ｃ及び便器本体後部１２ｂと後壁面３との間の空間部に円滑に戻すことが可能となる。
【００５３】
尚、上記実施形態においては分岐金具２５から局所洗浄便座１４に給水する給水ホース３３を分岐金具２５の下方に向けて接続された接続口２５ｃに接続して下方に延出させかつ緩やかな円弧を描くようにして上方に延在させて引き出し長さ分を便器本体後部１２ｂと後壁面３との間の空間部に収容するようにしたが、給水ホース３３を分岐金具２５の接続口２５ａに接続し上方に延出させて引き出し分の長さを給水タンク１３と後壁面３との間の空間部に収容し、接続口２５ｃに止水栓４から配索された給水ホース３１を接続するようにしても良い。尚、雄ねじが形成された接続口２５ａ，２５ｂに一端がワンタッチカプラの給水ホース３３，３１を接続する場合、及びワンタッチカプラの接続口２５ｃに一端が袋ねじの給水ホース３１を接続する際にはそれぞれ継手等を介して接続すればよい。
【００５４】
また、分岐金具２５は、給水ホース３３がどのように接続口に接続された場合（横、水平）でも後方（後壁面３）の下方に向かって延出できれば良い。
【００５５】
また、上記実施形態においては止水栓４が床面２に配設されている場合における給水ホース３１の配索について記述したが、止水栓４が後壁面３の床面２から高い位置に配設されているような場合には、止水栓４に接続された給水ホース３１を便器本体１２の後部上方から、即ちカバー１６の後部カバー１６ｂの上方から配策するようにしても良い。
【００５６】
更に、上記実施形態においては局所洗浄便座１４を引き出し位置から使用位置に戻す場合、分岐金具から局所洗浄便座１４に配索される給水ホース３３及び電源ケーブル４１を、局所洗浄便座１４と共に押し戻すようにしたが、便器本体１２の凹部１２ｃ内に付勢手段を設け、これらの給水ホース３３と電源ケーブル４１の双方又は何れか一方を張力により引き戻すようにしても良い。
【００５７】
前記付勢手段として、例えば給水ホース３３と電源ケーブル４１をスライド可能なプーリで支持し、このプーリを所定方向例えば水平方向に付勢する。即ち、便器本体１２に支持脚を介してレールを取り付け、このレールにプーリをスライド可能に支持し、プーリの支持部にスプリング（例えばゼンマイ）を内蔵させてレールの一端に固定されたワイヤに対して引っ張り力を付与してプーリを付勢するような構造が考えられる。
【００５８】
トイレに設けられた止水栓から給水タンク及び局所洗浄便座に分岐して給水する分岐金具を便器本体の後側に形成した凹部に設け、分岐金具から局所洗浄便座に給水する給水ホースの一端を分岐金具の接続口に接続し、かつ局所洗浄便座の使用位置から引き出し位置までの長さ分を便器本体後部とトイレの後壁面との間の空間部に収容して局所洗浄便座の引き出し方向に沿って延出させ、他端を局所洗浄便座に接続する。
【００５９】
また、トイレに設けられた止水栓から給水タンク及び局所洗浄便座に分岐して給水する分岐金具を便器本体の後側に形成した凹部に設け、分岐金具から局所洗浄便座に給水する給水ホースの一端を分岐金具の接続口に接続し、かつ局所洗浄便座の使用位置から引き出し位置までの長さ分を給水タンクとトイレの後壁面との間の空間部に収容して局所洗浄便座の引き出し方向に沿って延出させ、他端を局所洗浄便座に接続する。
【００６０】
これにより、トイレに設けられた止水栓の位置に拘わらず便器本体に設けられた分岐金具から当該便器本体後側上部に設置された給水タンクや便器本体上に便器本体の前側に引き出し可能に配設された局所洗浄便座に接続される給水ホースの長さを一定にすることが可能となり、局所洗浄便座の使用位置において給水ホースを便器本体の後方や給水タンクの後方に収容して側部カバーで隠蔽することができ、給水ホースの露出部分を減らすことができ、見栄えの向上を図ることができる。また、清掃時には局所洗浄便座を便器の手前に容易に引き出すことが可能となり、清掃性の向上が図られる。
【００６１】
また、分岐金具の下方に向けて設けた接続口に第３の給水ホースを下方に延出させて接続することにより、局所洗浄便座の使用位置において給水ホースを便器本体の後方に収容することができる。
【００６２】
また、分岐金具の上方に向けて設けた接続口に第３の給水ホースを上方に延出させて接続することにより、局所洗浄便座の使用位置において給水ホースを給水タンクとトイレの後壁面との間の空間部に収容することができる。
【００６３】
また、便器本体後部の凹部をカバーで覆い、第３の給水ホースを局所洗浄便座の使用位置において当該使用位置から引き出し位置までの長さ分を隠蔽することで、見栄えの向上が図られる。また、カバーの側部に形成したスリットから第３の給水ホースの局所洗浄便座側を延出させてガイドの機能を持たせ、局所洗浄便座を引き出すときにはスリットに沿って円滑に延出可能とし、引き出し位置から使用位置に戻すときにスリットに沿って円滑に便器本体後部の凹部に戻すことが可能となり、局所洗浄便座の引き出し操作や使用位置への戻し操作が容易となる。更に、給水ホースや便器本体後側に形成された凹部に埃や塵が付着することを少なくすることができる。
【００６４】
また、第３の給水ホースを、エルボを介して前記局所洗浄便座の下方に延在する給水金具へ取り付けることで、給水ホースを直ぐにサイドカバーへ隠蔽でき、露出部分を減らすことができる。
【図面の簡単な説明】
【００６５】
【図１】本発明の一実施形態に係る局所洗浄便座への給水ホースの隠蔽構造を適用した腰掛式便器の斜視図である。
【図２】図１に示した腰掛式便器の側方から見た要部拡大図である。
【図３】図２に示した腰掛式便器のカバーを外した状態における斜視図である。
【図４】図３に示した腰掛式便器の斜め後方から見た要部斜視図である。
【図５】図３に示した腰掛式便器の局部洗浄便座を便器の前側に引き出した状態の要部斜視図である。
【図６】図５に示した腰掛式便器の斜め後方から見た要部斜視図である。
【符号の説明】
【００６６】
１    トイレ
２    床面
３    後壁面
４    止水栓
５    電源コンセント
１１    腰掛式便器
１２    便器本体
１２ａ    側部
１２ｂ    後部
１２ｃ    凹部
１２ｄ    凹部の下面
１３    給水タンク
１４    局所洗浄便座
１６    カバー
１６ａ    側部カバー
１６ｂ    後部カバー
１６ｃ    スリット
１６ｄ，１６ｅ    合わせ目
１７    カバー
２１    本体部
２２    便蓋
２３    給水金具
２４    ロック機構
２５    分岐金具
２５ａ，２５ｂ，２５ｃ    接続口
２６    ブラケット
２７    エルボ（Ｌ形継手）
３１，３２，３３    給水ホース
３４    結束バンド
４１    電源ケーブル
４２    プラグ
【図１】
2008240437.tif 000003
【図２】
2008240437.tif 000004
【図３】
2008240437.tif 000005
【図４】
2008240437.tif 000006
【図５】
2008240437.tif 000007
【図６】
2008240437.tif 000008